(57)【要約】【課題】端子位置の寸法精度を良くすることができ、コンデンサ素子の傾きを防止できるケース入りコンデンサを提供する。【解決手段】両端面に電極板１８、１９が接続されたコンデンサ素子２をケース１に収納し樹脂を充填したケース入りコンデンサである。コンデンサ素子２の一方の端面がケース１の開口部７側に対応すると共に、コンデンサ素子２の他方の端面がケース１の底部５側に対応するように配置する。ケース１の相対向する内面８ａ、９ａに突起部１３を形成する。開口部７側の電極板１８の相対向する端縁部１８ａ、１８ｂに突起部１３と係合する係合部２２を設けた。【選択図】図１
2006216618.tif 000002
【特許請求の範囲】
【請求項１】
両端面に電極板（１８）（１９）が接続されたコンデンサ素子（２）をケース（１）に収納して樹脂を充填したケース入りコンデンサにおいて、コンデンサ素子（２）の一方の端面がケースの開口部（７）側に対応すると共に、コンデンサ素子（２）の他方の端面がケース（１）の底部（５）側に対応するように配置し、さらにケース（１）の相対向する内面（８ａ）（９ａ）と、上記開口部（７）側の電極板（１８）の相対向する端縁部（１８ａ）（１８ｂ）との間に係合手段（Ｋ）を設けたことを特徴とするケース入りコンデンサ。
【請求項２】
上記係合手段（Ｋ）が、ケース（１）の相対向する内面（８ａ）（９ａ）に形成される突起部（１３）と、上記開口部（７）側の電極板（１８）の相対向する端縁部（１８ａ）（１８ｂ）に設けられて上記突起部（１３）に係合する係合部（２２）とを備えたことを特徴とする請求項１のケース入りコンデンサ。
【請求項３】
複数の扁平素子（２ａ）を並設してコンデンサ素子（２）を構成するとともに、隣合う扁平素子（２ａ）（２ａ）の湾曲部（１７）（１７）にて形成されるスペース（２７）に、上記突起部（１３）が嵌入状となるように、上記コンデンサ素子（２）をケース（１）に収納したことを特徴とする請求項２のケース入りコンデンサ。
【発明の詳細な説明】
【技術分野】
【０００１】
この発明は、コンデンサ素子をケースに収納して樹脂を充填したケース入りコンデンサに関するものである。
【背景技術】
【０００２】
コンデンサ素子をケースに収納して樹脂を充填したコンデンサでは、樹脂とコンデンサ素子の比重の違いから樹脂注型時にコンデンサ素子がケース開口部側に浮き上がり、寸法不良となるおそれがある。そこで、従来には、この浮き上がりを防止する方法として、電極引出し端子部をケースの外側で係合、固定する支持部を設けるものがある（例えば、特許文献１参照）。
【０００３】
すなわち、上記特許文献１のケース入りコンデンサは、図５に示すように、ケース５１にコンデンサ素子５２を収納し、このケース５１内に樹脂５３を充填することによって、形成される。この場合、ケース５１の対向する側壁５２、５２に、支持部としての係合用リブ５４、５４を突設し、コンデンサ素子５５の両電極５６、５６に接続される引出し端子部５７、５７を上記係合用リブ５４、５４に固定するようにしている。
【特許文献１】特開平９−１６２０６９号公報
【発明の開示】
【発明が解決しようとする課題】
【０００４】
上記特許文献１に記載された方法では、引出し端子部５７がケース開口部の片側からのみ引出される場合、コンデンサ素子５５は片側の側壁５２に対してのみ支持されることになるので、コンデンサ素子５５がケース５１に対して傾くおそれがあり、寸法精度を良くするのが難しい。また、支持部（係合用リブ５４）が不要な場合、係合用リブ５４を除去する作業が特別に必要であり、そのため作業性に劣っていた。
【０００５】
この発明は、上記従来の欠点を解決するためになされたものであって、その目的は、引出し端子部の位置決め精度を向上することができ、コンデンサ素子の傾きを防止できるケース入りコンデンサを提供することにある。
【課題を解決するための手段】
【０００６】
請求項１のケース入りコンデンサは、両端面に電極板１８、１９が接続されたコンデンサ素子２をケース１に収納して樹脂を充填したケース入りコンデンサにおいて、コンデンサ素子２の一方の端面がケース１の開口部７側に対応すると共に、コンデンサ素子２の他方の端面がケース１の底部５側に対応するように配置し、さらにケース１の相対向する内面８ａ、９ａと、上記開口部７側の電極板１８の相対向する端縁部１８ａ、１８ｂとの間に係合手段Ｋを設けたことを特徴としている。
【０００７】
請求項２のケース入りコンデンサは、上記係合手段Ｋが、ケース１の相対向する内面８ａ、９ａに形成される突起部１３と、上記開口部７側の電極板１８の相対向する端縁部１８ａ、１８ｂに設けられて上記突起部１３に係合する係合部２２とを備えたことを特徴としている。
【０００８】
請求項３のケース入りコンデンサは、複数の扁平素子２ａを並設して上記コンデンサ素子２を構成するとともに、隣合う扁平素子２ａ、２ａの湾曲部１７、１７にて形成されるスペース２７に、上記突起部１３が嵌入状となるように、上記コンデンサ素子２をケース１に収納したことを特徴としている。
【発明の効果】
【０００９】
請求項１のケース入りコンデンサによれば、係合手段を介して、ケースと、開口部側の電極板とを連結することができ、ケースに対する外部接続用端子部の位置決めが精度良く行われた状態で、ケース内にコンデンサ素子を収納することができる。係合手段がケースの対向する両方に設けられるので、コンデンサ素子が傾くのを防止することができる。また、係合位置に規制されることなく、外部接続用端子部を任意の位置から引出すことができるので、ケースの開口部の片側からのみから引出すことが可能であって、このような場合であっても、コンデンサ素子が傾かない。さらに、引出し端子部を固定するための係合用リブを必要とせず、片側のみ引出される場合であってもこのようなリブの除去作業が不要である。
【００１０】
請求項２のケース入りコンデンサによれば、係合手段が、ケースの相対向する内面に形成される突起部と、開口部側の電極板の相対向する端縁部に設けられる係合部とを備えるものであるので、ケースと電極板との連結を安定して確実に行うことができ、ケースに対する外部接続用端子部の位置決め精度が一層向上する。また、電極板の係合部は、ケースの対向する両方の内面側で突起部に固定されるので、コンデンサ素子が傾きを確実に防止することができる。
【００１１】
請求項３のケース入りコンデンサによれば、隣合う扁平素子の湾曲部間においてスペースが形成され、ケースの突起部がこのスペースに嵌入状となるように、コンデンサ素子をケースに収納することができるので、コンデンサ素子を突起部に妨げられることなくケースに収納できる。また、ケースの突起部がスペースに嵌入状となるので、この突起部に係合する電極板の係合部もこのスペースに対応する位置に配置される。このため、ケースの突起部と電極板の係合部とが上記スペースに収納状となり、ケースの奥行き寸法が大きくなるのを防いで、電極板の係合部とケースの突起部とを確実に固定することができ、このコンデンサのコンパクト化を図ることができる。
【発明を実施するための最良の形態】
【００１２】
次に、この発明のケース入りコンデンサの具体的な実施の形態について、図面を参照しつつ詳細に説明する。図１はこの発明のケース入りコンデンサの平面図を示し、図２は要部断面図を示している。ケース入りコンデンサは、ケース１と、このケース１に収納される複数のコンデンサ素子２と、このコンデンサ素子２が収納された状態でケース１内に充填される樹脂（図示省略）とを備える。
【００１３】
ケース１は、図１及び図３に示すように、底壁５と、この底壁５から立設される周壁６とからなり、上方に開口部７が形成される。また、周壁６は、前壁８と後壁９と側壁１０、１１とからなる。この場合、側壁１０、１１の長さ寸法、つまりこのケース１の奥行き寸法Ａを、前壁８及び後壁９の長さ寸法、つまりこのケースの幅寸法Ｂよりも短くしている。そして、ケース１の相対向する内面、つまり前壁８と後壁９の内面８ａ、９ａには、それぞれ、リブ１２と突起部１３とが内方へ突出形成されている。図３に示すように、リブ１２は上下方向に延び、その断面形状が半円形とされる。また、突起部１３もリブ状であって、上下方向に延び、その断面形状が半長円形とされる。この突起部１３には貫通孔１４が設けられている。この場合、貫通孔１４に代えて止り孔であってもよい。なお、図例では、リブ１２は前壁８と後壁９の内面８ａ、９ａにそれぞれ６個ずつ計１２個配置され、この突起部１３は前壁８と後壁９の内面８ａ、９ａにそれぞれ２個ずつ計４個配置されている。
【００１４】
また、図１に示すように、コンデンサ素子２は複数の扁平フィルムコンデンサ素子（扁平素子）２ａからなり、各扁平素子２ａの一方のメタリコン電極１５がケース１の開口部７側に対応すると共に、各扁平素子２ａの他方のメタリコン電極１６がケース１の底部（底壁５）側に対応するように、それぞれケース１に配置される。この場合、前壁８側及び後壁９側にそれぞれ複数（図例では６個ずつ計１２個）の扁平素子２ａが配置される。また、扁平素子２ａの端部（側端部）は、円弧状の湾曲部１７とされ、隣合う（左右方向に隣合う）扁平素子２ａ、２ａの湾曲部１７、１７が突き合わせ状となっている。
【００１５】
そして、各扁平素子２ａ・・の上側の第１メタリコン電極１５・・には、図１に示すように平板体からなる第１電極板１８が接続され、各扁平素子２ａ・・の下側の第２メタリコン電極１６・・にも平板体からなる第２電極板１９（図２参照）が接続される。すなわち、上下の両電極板１８、１９で複数の扁平素子２ａ・・が挟持状に保持される。また、第１電極板１８には、ケース１の前壁８側に複数の（図例では３個）の第１外部接続用端子部２０が設けられ、第２電極板１９にも、ケース１の前壁８側に複数の（図例では３個）の第２外部接続用端子部２１が上記第１外部接続用端子部２０に対応しない位置に接触しないように設けられている。
【００１６】
すなわち、図１と図２に示すように、第１外部接続用端子部２０は、前壁８側に突出する第１部２０ａと、この第１部２０ａから上方へ突出する第２部２０ｂとからなり、第２外部接続用端子部２１も、前壁８側に突出する第１部２１ａと、この第１部２１ａから上方へ突出する第２部２１ｂとからなる。この場合、第２外部接続用端子部２１の第２部２１ｂはコンデンサ素子２の高さ方向に延びコンデンサ素子２に沿うように配置され、上記第１電極板１８から突出している。また、第１外部接続用端子部２０の第２部２０ｂの突出高さを第２外部接続用端子部２１の第２部２１ｂの突出高さと略同一としている。
【００１７】
そして、ケース１と第１電極板１８とは係合手段Ｋにて連結（結合）することになる。この場合、第１電極板１８には、ケース１の前壁８側及び後壁９側、つまり第１電極板１８の相対向する端縁部１８ａ、１８ｂにそれぞれ係合部２２・・が突設されている。各係合部２２・・は内方へ水平方向に沿って突出される平板片からなり、貫通孔２３が設けられている。この場合、各係合部２２・・は、各突起部１３・・の上方に位置するように配置される。このため、係合部２２と突起部１３とが重ね合わされた状態で、図４に示すように、係合部２２の貫通孔２３と突起部１３の貫通孔１４に、連結用ピン２５を嵌入（挿入）することによって、係合部２２と突起部１３を一体連結している。このように、突起部１３と係合部２２と連結用ピン２５とでもって、ケース１と電極板１８とを連結する係合手段Ｋを構成することになる。なお、連結用ピン２５は樹脂製ピンであり、軸部２５ａと頭部２５ｂとからなる。この軸部２５ａの外径は貫通孔１４、２３の内径と同等かまたは僅かに大きく設定されている。そして、連結用ピン２５の軸部２５ａが貫通孔２３、１４に挿入される。
【００１８】
そして、コンデンサ素子２がケース１に収納された状態では、図１に示すように、ケース１のリブ１２・・がその対応する扁平素子２ａ・・に当接して扁平素子２ａ・・が位置決めされると共に、各扁平素子２ａ・・とケース１の内面との間に充填樹脂の注入空間２６が形成され、この注入空間２６に樹脂（例えば、エポキシ樹脂）が充填される。なお、上記連結用ピン２５として、この充填樹脂と同一の樹脂から構成しても、他の樹脂で構成してもよい。
【００１９】
連結される係合部２２と突起部１３とは、それぞれ、隣合う扁平素子２ａ、２ａの湾曲部１７、１７間に対応する位置に配設される。すなわち、隣合うコンデンサ素子２、２の湾曲部１７、１７によって、図１に示すように、平面視略三角形状のスペース２７が形成され、このスペース２７に対応して、係合部２２と突起部１３とが配置される。このため、ケース１の突起部１３及び電極板１８の係合部２２がこの湾曲部１７、１７間のスペース２７に嵌入状となって収納状となる大きさにされる。なお、図例では、連結される係合部２２と突起部１３とは、全てのスペース２７に対応するように配置されていないが、全てのスペース２７に対応するように配置してもよい。
【００２０】
上記コンデンサによれば、係合手段Ｋを介して、ケース１と、開口部７側の電極板１８とを連結することができ、ケース１に対する外部接続用端子部２０、２１の位置決めが精度良く行われた状態で、ケース１内にコンデンサ素子２を収納することができる。係合手段Ｋは、ケース１の対向する両方に設けられるので、外部接続用端子部２０、２１が開口部７の片側からのみ引出されている場合であってもコンデンサ素子２が傾くのを防止することができる。特に、係合手段Ｋが、ケース１の相対向する内面８ａ、９ａに形成される突起部１３と、開口部７側の電極板１８の相対向する端縁部１８ａ、１８ｂに設けられる係合部２２とを備えるものであるので、ケース１と電極板１８との連結を安定して確実に行うことができ、ケース１に対する外部接続用端子部２０、２１の位置決め精度が一層向上する。また、電極板１８の係合部２２は、ケース１の対向する両方の内面８ａ、９ａ側で突起部２２に固定されるので、コンデンサ素子２の傾きを確実に防止することができる。さらに、係合位置に規制されることなく、外部接続用端子部２０、２１を任意の位置から引出すことができるので、ケース１の開口部７の片側からのみから引出すことが可能であって、このような場合であっても、コンデンサ素子２が傾かない。さらに、引出し端子部を固定するための係合用リブを必要とせず、片側のみ引出される場合であってもこのようなリブの除去作業が不要である。
【００２１】
さらに、隣合う扁平素子２ａ、２ａの湾曲部１７、１７間においてスペース２７が形成され、ケース１の突起部１３がこのスペース２７に嵌入状となるようにしてコンデンサ素子２をケース１に収納することができるので、コンデンサ素子２を突起部１３に妨げられることなくケース１に収納できる。また、ケース１の突起部１３がスペース２７に嵌入状となるので、この突起部１３に係合する電極板１８の係合部２２もこのスペース２７に対応する位置に配置される。このため、ケース１の突起部１３と電極板１８の係合部２２とが上記スペース２７に収納状となり、ケース１の奥行き寸法Ａが大きくなるのを防いで、電極板１８の係合部２２とケース１の突起部１３とを確実に固定することができ、このコンデンサのコンパク化を図ることができる。さらに、係合部２２と突起部１３とがケース１の開口部７の開口端側に設けられることになるので、この係合部２２と突起部１３との連結作業を行い易い利点がある。
【００２２】
以上にこの発明の具体的な実施の形態について説明したが、この発明は上記形態に限定されるものではなく、この発明の範囲内で種々変更して実施することができる。例えば、使用する素子２ａとして、扁平形に限らず、また巻回形のみならず積層形であってもよい。さらに、扁平素子２ａの数も増減可能である。このため、ケース１に設けられるリブ１２及び突起部１３の数、電極板１８に設けられる係合部２２の数も増減可能である。また、電極板１８、１９の形状としても、図例のものに限るものではない。さらに、係合手段Ｋにおける係合部２２と突起部１３の連結固定方法としても、ピン２５を使用したものに限らず金属のネジでもよく、突起部１３と係合部２２とが嵌合するようなものであってもよい。また、係合手段Ｋとして、突起部１３と係合部２２とに限るものではなく、ケース１の前壁８及び後壁９に切欠部を設け、この切欠部に係合部２２が嵌合するようなものであってもよい。また、外部接続用端子２０、２１の引出し部位（第２部２０ｂ、２１ｂ）を、ケース１の開口部７の片方（図例では、ケース１の前壁８側）のみに配置する以外に、後壁９側のみ、または前壁８及び後壁９側や前後方向中間に配置するようにしてもよい。さらに、リブ１２の断面形状としても半円形状に限るものではなく、各扁平素子２ａ・・とケース１の内面との間に充填樹脂の注入空間２６が形成されるものであればよい。また、突起部１３の断面形状としても半長円形状に限るものではなく、係合部２２に連結可能なものであればよい。
【図面の簡単な説明】
【００２３】
【図１】この発明のケース入りコンデンサの実施形態を示す平面図である。
【図２】上記ケース入りコンデンサの要部断面図である。
【図３】上記ケース入りコンデンサのケースの要部斜視図である。
【図４】上記ケース入りコンデンサのケースの係合部と電極板の係合部との連結方法を示す説明図である。
【図５】従来のケース入りコンデンサの断面図である。
【符号の説明】
【００２４】
１・・ケース、２・・コンデンサ素子、２ａ・・扁平素子、５・・底部、７・・開口部、８ａ、９ａ・・内面、１３・・突起部、１７・・湾曲部、１８、１９・・電極部、１８ａ、１８ｂ・・端縁部、２２・・係合部、Ｋ・・係合手段
【図１】
2006216618.tif 000003
【図２】
2006216618.tif 000004
【図３】
2006216618.tif 000005
【図４】
2006216618.tif 000006
【図５】
2006216618.tif 000007